(57)【要約】      （修正有）【課題】現場での組み付け作業が簡単でしかも長期に亘って張替えをする必要がなく、取り換えが必要になった場合でも全体的な取り外しや標識部材の交換が容易な手摺用案内表示部材を提供する。【解決手段】折り曲げ可能なシート状物１１の表面の適宜位置に標識部材の収納部を設けて標識部材２１を収納するとともに、長さ方向の両側辺には線ファスナー３１がシート状物の表面から飛び出さないよう裏返しに取り付ける。さらに、線ファスナーの一端を前記シート状物から延長してあり、この延長部はシート状物を手摺に取り付けた状態において形成される筒状シート状物の内部に収納できるようにする。【選択図】図５
0003176343.tif 000002
【実用新案登録請求の範囲】
【請求項１】
折り曲げ可能なシート状物の適宜位置に標識部材の取付部を設けて標識部材を収納するとともに、シート状物の長さ方向の両側辺には線ファスナーのエレメントが裏返しに取り付けてあって、シート状物を筒状に連結した線ファスナーのエレメントがシート状物の表面から飛び出さないようにしてあり、かつ線ファスナーの一端を前記シート状物から延長し、この延長部はシート状物を手摺に取り付けた状態において形成される筒状シート状物の内部に収納できるようにしたことを特徴とする手摺用案内表示部材。
【請求項２】
前記シート状物の表面に設けた標識部材の取付部が、標識部材を着脱自在に収納できるようポケット状に形成されていることを特徴とする請求項１記載の手摺用案内表示部材。
【請求項３】
前記シート状物の表面に設けた標識部材の取付部が、標識部材を着脱自在に取り付けることができるよう面ファスナーで形成されていることを特徴とする請求項１記載の手摺用案内表示部材。
【請求項４】
前記シート状物にその表面から飛び出さないよう裏返しに取り付けられた線ファスナーが、手摺に装着した後、その連結の際に使用するスライダーを切断した上で、筒状シート状物の内部に収納するようにしたことを特徴とする請求項１ないし３のいずれかに記載の手摺用案内表示部材。
【考案の詳細な説明】
【技術分野】
【０００１】
この考案は、特に避難場所等を表示するために使用される手摺用案内表示部材に関する。
【背景技術】
【０００２】
従来から視覚障害者等のための手摺用案内表示部材として、手摺の構造部材に直接点字ピンを打ち込むようにしたものがある。
例えば、特開２００９−１３８３５６号公報（特許文献１参照）、実開平５−６９７７６号公報（特許文献２参照）である。
また、点字や文字、記号等の表示を設けたシートを手摺の外周に取り付けたものがある。
そのような例としては、実用新案登録第３１１９５１５号公報（特許文献３参照）がある。
【０００３】
しかしながら、前記従来の手摺の構造部材に直接点字ピンを打ち込むものにあっては、点字ピンの打ち込みに手間がかかる上、手摺の素材が金属である場合が多く、冬季などにおいては手摺を握ると非常に冷たく感じてしまうというような問題点があった。
【０００４】
また、点字や文字、記号等の表示を設けたシートを手摺の外周に取り付けるものにおいては、素材の弾性を利用して拡径しながら押し込み、スプリングバックして縮径することによって嵌合しているのであるが、手摺は手で滑らせるようにして握るため、指がシート端面を押して移動したり剥がれたりし易く、頻繁に維持管理を行わなければならないという問題点があった。
【先行技術文献】
【特許文献】
【０００５】
【特許文献１】特開２００９−１３８３５６号公報
【特許文献２】実開平５−６９７７６号公報
【特許文献３】実用新案登録第３１１９５１５号公報
【考案の開示】
【考案が解決しようとする課題】
【０００６】
この考案は上記問題点を解消し、現場での組み付け作業が簡単でしかも長期に亘って張替えをする必要がなく、取り換えが必要になった場合でも全体的な取り外しや標識部材の交換が容易な手摺用案内表示部材を提供することを目的とするものである。
【課題を解決するための手段】
【０００７】
すなわち、この考案に係る手摺用案内表示部材は、折り曲げ可能なシート状物の適宜位置に標識部材の取付部を設けて標識部材を収納するとともに、シート状物の長さ方向の両側辺には線ファスナーのエレメントが裏返しに取り付けてあって、シート状物を筒状に連結した線ファスナーのエレメントがシート状物の表面から飛び出さないようにしてあり、かつ線ファスナーの一端を前記シート状物から延長し、この延長部はシート状物を手摺に取り付けた状態において形成される筒状シート状物の内部に収納できるようにしたことを特徴とするものである。
【０００８】
この考案に係る手摺用案内表示部材は、前記シート状物の表面に設けた標識部材の取付部が、標識部材を着脱自在に収納できるようポケット状に形成されていることをも特徴とするものである。
【０００９】
この考案に係る手摺用案内表示部材は、前記シート状物の表面に設けた標識部材の取付部が、標識部材を着脱自在に取り付けることができるよう面ファスナーで形成されていることをも特徴とするものである。
【００１０】
この考案に係る手摺用案内表示部材は、前記シート状物にその表面から飛び出さないよう裏返しに取り付けられた線ファスナーが、手摺に装着した後、その連結の際に使用するスライダーを切断した上で、筒状シート状物の内部に収納するようにしたことをも特徴とするものである。
【考案の効果】
【００１１】
この考案に係る手摺用案内表示部材によれば、折り曲げ可能なシート状物の表面の適宜位置に標識部材の取付部を設けて標識部材を収納するとともに、シート状物を筒状に連結した線ファスナーのエレメントがシート状物の表面から飛び出さないようにしたものであるから、老人や入院患者、視覚障害者等が手摺を握って歩行するとき、手に突出部、例えばエレメントが当たることがないので何ら違和感を感じることなく手摺を利用することができる。
【００１２】
また、現場での組み付け作業が簡単でしかも長期に亘って張替えをする必要がなく、しかも取り換えが必要になった場合でも、全体的な取り外しや標識部材の交換が容易な手摺用案内表示部材を提供することが可能となった。
【図面の簡単な説明】
【００１３】
【図１】この考案に係る手摺用案内表示部材の展開状態の表面図である。
【図２】その裏面図である。
【図３】標識部材を取り付ける初期の段階を示す裏面図である。
【図４】標識部材を取り付けた状態を示す裏面図である。
【図５】その表面図である。
【図６】手摺用案内表示部材の裏側に滑り止めシートを配置した状態の裏面図である。
【図７】手摺用案内表示部材を滑り止めシートを介して手摺に取り付けようとする状態の裏面図である。
【図８】（ａ）は線ファスナーを閉じた状態の斜視図、（ｂ）は線ファスナーの先端を折り返した状態の斜視図、（ｃ）は線ファスナーを筒状に形成された手摺用案内表示部材内に収納した状態を示す斜視図である。
【図９】完成状態を示す斜視図である。
【考案を実施するための形態】
【００１４】
この考案の手摺用案内表示部材の実施の態様を図面に基いて詳細に説明する。
図１ないし図５に示すように、この考案に係る手摺用案内表示部材１０は、折り曲げ可能なシート状物１１を使用している。このシート状物１１としては、多少の伸縮性があって後述する手摺４１に取り付けた際に、手摺４１に強固に巻き付けられる素材が望ましく、布や、布とプラスチックシートとの積層物、合成繊維の網状構造物等を使用することができる。
【００１５】
前記シート状物１１の表面もしくは裏面の適宜位置には標識部材２１の取付部１２を設けてあって標識部材２１を収納している。
図では、前記シート状物１１の裏面に設けた標識部材２１の取付部１２は、標識部材２１を上下方向に着脱自在に収納できるようポケット状に形成されている。
すなわち、図２の状態から、前記標識部材２１を図３に示すようにポケット状の取付部１２に上から差し込んでゆき、図４のようにポケット状の取付部１２に終わりまで差し込むのである。図５は完成状態を示す表面図である。
もちろん、前記標識部材２１を左右方向に着脱自在に収納できるようにしたり、裏面に標識部材２１を着脱自在に取り付けることができる面ファスナー（図示せず）を貼付してもよい。
【００１６】
図１ないし図５に示すように、前記シート状物１１の長さ方向の両側辺には線ファスナー３１のエレメント（務歯）３２がシート状物１１の表面から飛び出さないようにテープ３３を介して裏返しに取り付けてある。３４はスライダー（開閉部品）である。このようにエレメント３２を前記シート状物１１に裏返しに取り付けることにより、使用の際に手に突出部、例えばエレメント３２が当たることがないので、何ら違和感を感じることなく手摺を利用することができるのである。
【００１７】
そして、前記線ファスナー３１の一端は前記シート状物１１の長さ方向の端部からはみ出すように延長してあり、この延長部３５はシート状物１１を手摺４１に取り付けた状態において形成される筒状シート状物の内部に収納できるようになっている。
【００１８】
以上の構成からなるこの考案の手摺用案内表示部材１０の組み付けに際しては、図６のように手摺用案内表示部材１０の裏側に滑り止めシート４２を配置して使用する。この滑り止めシート４２としては、ゴムシートやプラスチックの発泡シート等を好適に用いることができる。
すなわち、図７に示すように手摺４１とこの考案の手摺用案内表示部材１０の間に滑り止めシート４２を介在させた上で、前記シート状物１１を手摺４１の外周に沿って丸め、線ファスナー３１で筒状に連結すればよい。
その状態を示すのが図８（ａ）である。
【００１９】
その上で、前記線ファスナー３１の延長部３５の先端を図８（ｂ）に示すように折り返し、図８（ｃ）に示すように筒状に形成されたシート状物の内部に収納すれば、前記延長部３５も何ら使用に際して邪魔になることがない。
【００２０】
なお、この考案に係る手摺用案内表示部材１０は、前記シート状物１１にその表面から飛び出さないよう裏返しに取り付けられた線ファスナー３１を、手摺４１に装着した後、その連結の際に使用するスライダー３４もろとも切断し、その上で筒状シート状物１１の内部に収納するようにしてもよい。
図９は、この考案に係る手摺用案内表示部材１０を手摺４１に装着した状態を示すものである。
【産業上の利用可能性】
【００２１】
この考案に係る手摺用案内表示部材によれば、老人ホームや病院、視覚障害者施設等において、入所老人や入院患者、視覚障害者等が利用する手摺のみならず、一般家庭や事業所の建物に使用する手摺等にも、好適に装着することができる。
【符号の説明】
【００２２】
１０  手摺用案内表示部材
１１  シート状物
１２  取付部
２１  標識部材
３１  線ファスナー
３２  エレメント
３３  テープ
３４  スライダー
３５  延長部
４１  手摺
４２  滑り止めシート
【図１】
0003176343.tif 000003
【図２】
0003176343.tif 000004
【図３】
0003176343.tif 000005
【図４】
0003176343.tif 000006
【図５】
0003176343.tif 000007
【図６】
0003176343.tif 000008
【図７】
0003176343.tif 000009
【図８】
0003176343.tif 000010
【図９】
0003176343.tif 000011